(57)【要約】【課題】  月齢が低い乳幼児から大人まで、被測定者の腋下の測定位置への位置決めを確実に行い、正確な体温測定が可能な体温計を提供すること。【解決手段】  温度測定手段を収容した扁平な本体１２を有し、該本体の一面側は、測定温度表示の表示面１７とされ、該本体の他面１４が一方向に延びた先端に感温部を設けたプローブ部１５を備え、被測定者の身体に当接される当接面である体温計であって、前記プローブ部が、前記本体に対して、所定の角度θで延びていて、前記傾斜に鋭角側に前記被測定者である子供の身体に適合する子供用曲面８１が形成され、かつ前記傾斜の鈍角側に前記被測定者である大人の身体に適合する大人用曲面８２が形成されて、他面１４からプローブ先端１４ａまでの距離に関して、子供用曲面８１側の距離ｂよりも、大人用曲面８２側の距離ａの方が大きくなるように形成されている。【選択図】        図６
2006214800.tif 000002
【特許請求の範囲】
【請求項１】
温度測定のための測定手段の少なくとも一部を収容した扁平な本体を有し、該本体の一面側は、測定温度を表示するための表示面とされ、該本体の他面が一方向に延びた先端に感温部を設けたプローブ部を備えるとともに、被測定者の身体に当接される当接面とされている体温計であって、
前記プローブ部が、前記本体に対して、一方向に傾斜するように所定の角度で延びていて、
前記傾斜に関して、鋭角側に前記被測定者である子供の身体に適合する曲面でなる子供用曲面が形成されており、
かつ前記傾斜に関して、鈍角側に前記被測定者である大人の身体に適合する曲面でなる大人用曲面が形成されていて、
前記当接面から前記プローブ先端までの距離に関して、子供用曲面側の距離ｂよりも大人用曲面側の距離ａの方が大きくなるように形成されている
ことを特徴とする体温計。
【請求項２】
前記プローブ部の基端部が、前記本体に関して前記大人用曲面側に偏った位置に設けられていることを特徴とする請求項１に記載の体温計。
【請求項３】
前記プローブ部の先端部が、平面視において前記本体のほぼ中央に位置するように形成されていることを特徴とする請求項１または２のいずれかに記載の体温計。
【発明の詳細な説明】
【技術分野】
【０００１】
この発明は、プローブを腋下に挿入して体温測定を行う体温計の改良に関するものである。
【背景技術】
【０００２】
プローブを腋下に挿入して体温測定する体温計は広く普及している。
そして、特に母親や看護士などの介助者が、乳幼児や看者などの体温を測定するのに適した体温計として、図１３および図１４に示すものが知られている（特許文献１参照）。
【０００３】
図１３は従来の体温計の概略正面図、図１４はその概略斜視図である。
これらの図において、体温計１は、測定機構を収容した厚みのある長円形の本体２と、本体２の一面、すなわち、図１３の底面３に形成した図１４に示す表示手段７と、本体２の他面から斜めに起立し、先端に感温部６を有する長尺のプローブ部５を有している。
この体温計１は、図１４に示すような姿勢で、本体２の当接面４を被測定者の腋の下に対応した身体の前面に当てて、プローブ部５を被測定者の腋の下に挿入し、体温測定を行うようになっており、本体２が身体に当接することで位置決めし、感温部６が乳幼児の腋下における測定位置に確実に配置されるよう構成されると共に、表示手段７を視認しやすい構成とされている。
【０００４】
【特許文献１】実開昭６２−１９９６４７
【発明の開示】
【発明が解決しようとする課題】
【０００５】
ところが、このような体温計１は、被測定者として乳幼児や子供を対象とするものであり、上述したように、図１４のような姿勢で、プローブ部５の先端を成長した子供や大人の腋下に挿入配置しようとすると、あらかじめ乳幼児の平均的な腋下までの長さにプローブ部５の長さを定めているため、当接面４からプローブ部５の先端までの距離が短すぎて、感温部６が腋下に達せず、測定を行いにくい。また、プローブ部５を大人用の距離とすると、逆に乳幼児に使用する場合、腋下の適切な位置に位置決めを行いにくくなってしまう。
すなわち、従来の体温計１は、乳幼児の月齢が低く、その身体が小さいうちは有効に測定できるが、ある程度成長すると使用できなくなり、同様の理由で大人が使用することができないために、使用できる期間が子供の成長の早い乳幼児期という特定時期に限られるという欠点があった。
【０００６】
この発明は、上述の課題を解決するためになされたもので、月齢が低い乳幼児から大人まで、被測定者の腋下の測定位置への位置決めを確実に行い、正確な体温測定が可能な体温計を提供することを目的とする。
【課題を解決するための手段】
【０００７】
上記目的は、第１の発明にあっては、温度測定のための測定手段の少なくとも一部を収容した扁平な本体を有し、該本体の一面側は、測定温度を表示するための表示面とされ、該本体の他面が一方向に延びた先端に感温部を設けたプローブ部を備えるとともに、被測定者の身体に当接される当接面とされている体温計であって、前記プローブ部が、前記本体に対して、一方向に傾斜するように所定の角度で延びていて、前記傾斜に関して、鋭角側に前記被測定者である子供の身体に適合する曲面でなる子供用曲面が形成されており、かつ前記傾斜に関して、鈍角側に前記被測定者である大人の身体に適合する曲面でなる大人用曲面が形成されていて、前記当接面から前記プローブ先端までの距離に関して、子供用曲面側の距離ｂよりも大人用曲面側の距離ａの方が大きくなるように形成されている体温計により、達成される。
【０００８】
第１の発明の構成によれば、前記本体の一面側に前記表示面を設けることで、温度表示が見やすくされ、該本体の他面側から前記プローブ部を備え、該他面が被測定者の身体に当接される当接面とされていることで、確実に腋下の計測位置に前記感温部を配置することができるようにされている。
しかも前記プローブ部が、前記本体に対して、一方向に傾斜するように所定の角度で延びていて、前記傾斜に関して、鋭角側に前記被測定者である子供の身体に適合する曲面でなる子供用曲面が形成されている。すなわち、子供の腋下である腕の付け根付近の小さな腕周りに沿う子供用曲面が設けられているので、この子供用曲面を被測定者としての子供の腋下周囲に当接することで、腋下の適切な位置に位置決めできる。
また、前記傾斜に関して、鈍角側に前記被測定者である大人の身体に適合する曲面でなる大人用曲面が形成されている。すなわち、大人の腋下である腕の付け根付近の大きな腕周りに沿う大人用曲面が設けられているので、この大人用曲面を被測定者としての大人の腋下周囲に当接することで、腋下の適切な位置に位置決めできる。
そして、当接面から前記プローブ先端までの距離に関して、子供用曲面側の距離ｂよりも、大人用曲面側の距離ａの方が大きくなるように形成されており、大人と子供による腋下における測定領域までの距離の違いに応じた適切な距離とされているため、当接面を身体に当接させることで、腋下における測定領域にプローブ先端が配置されることとなる。
尚、この発明において、「子供」とは月齢の低い乳幼児を含み、子供なみの身体を持つ者を含み、また、「大人」とは、大人および大人なみの身体を持つ者を含む意味である。
かくして、本発明によれば、月齢が低い乳幼児から大人まで、被測定者の腋下の測定位置への位置決めを確実に行い、正確な体温測定が可能な体温計を提供することができる。
【０００９】
第２の発明は、第１の発明において、前記プローブ部の基端部が、前記本体に関して前記大人用曲面側に偏った位置に設けられていることを特徴とする。
第２の発明の構成によれば、前記プローブ部の基端部が、前記本体に関して前記大人用曲面側に偏った位置に設けることで、該プローブ部の先端を前記傾斜させた際に、前記子供用曲面側に倒れた傾斜とした際に、該子供用曲面に十分な沿面距離を持たせることができ、測定姿勢を保持させにくい被測定者である子供の体温測定に際して、より確実に身体にフィットさせることができるから、測定作業が確実、容易となる。
【００１０】
第３の発明は、第１または２の発明の構成において、前記プローブ部の先端部が、平面視において前記本体のほぼ中央に位置するように形成されていることを特徴とする。
第３の発明の構成によれば、腋下に挟んで保持すべきプローブ部が、前記本体の重心位置に近い位置となるから、測定作業中の体温計の保持が確実となり、位置ズレを生じにくく、しかも、本体からの距離感を把握しやすいため、腋下への配置を行い易い。
【発明を実施するための最良の形態】
【００１１】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１２】
図１は、本発明の第１の実施形態に係る体温計１０の全体を一面１３側から示す概略斜視図、図２は図１の体温計１０を他面１４側から示す概略斜視図であり、図３は図１の体温計１０の概略断面図である。
これらの図に示されているように、体温計１０は、機構部を納める本体１２と、本体１２の表示手段１７が設けられた一面１３とは反対の他面側から一方向に長く延びるプローブ部１５とを有しており、本体１２の他面１４の所定位置に、後述する腋下照明手段２０を備えている。また、本体１２の他面１４は、後述するように、体温計１０を使用する際に、被測定者の身体に当接される当接面とされる。
【００１３】
本体１２は、例えば、ＡＢＳ樹脂、ＡＳ樹脂、ポリプロピレン、ポリスチレン、ポリメタクリル酸メチル等による合成樹脂製成形品である中空のケースであり、本実施形態では略長円もしくは楕円形の扁平体で形成され、図のＸ方向に長くなっている。本体１２の他面１４からは、本体１２の長手方向、すなわち図のＸ方向と交差する方向で、他面１４から離れる方向に細長いプローブ部１５が延びている。プローブ部１５は中空の莢状で、閉じられた先端には、熱伝導性の高いステンレスが表面に配置された感温部１６が形成されており、後述するように仮想の中心軸がやや傾斜して延び、従来より径が僅かに太くされ、先端部の断面が楕円または長円形とされている。
【００１４】
図２に示すように、本体１２の他面１４において、上記したプローブ部１５の基部と連接領域は、Ｒ状に曲折もしくは湾曲しており肩部１４ａを形成している。すなわち肩部１４ａは本体１２の他面１４におけるプローブ１５と連接する箇所の周辺領域であり、本体１２の他面１４から曲折または湾曲するよう幅を狭めた部分である。
この実施形態では、肩部１４ａの箇所、すなわちプローブ部１５の基端部に近接して、本体１２の他面１４における後述する子供用曲面８１側に腋下照明手段２０が本体１２と一体に形成されており、感温部１６に照明手段による光が向かうよう構成されている。
【００１５】
図３に示されているように、本体１２の内部空間Ｓを一面１３側と、他面１４側に区分するように、Ｘ方向に沿って基板２４が配置されている。基板２４は配線基板で、必要な電気的配線をするものである。
図示されているように、基板２４よりも下で、ほぼＹ方向に沿ってプローブ部１５が延びている。この場合、プローブ部１５は、その基部が本体１２のやや右より（後述する大人用曲面８２側）の位置に偏心して配置されている。しかも本体１２の長手方向Ｂ１（Ｘ方向と同じ）と直交する方向（Ｙ方向）に対して、プローブ部１５の仮想の中心軸Ｃ１は所定角度θだけ、やや内向き（後述する子供用曲面８１側）に傾斜して延びて、プローブ部１６は本体１２における他面１４側の略中央領域に位置している。
【００１６】
図５は、体温計１の正面図であり、図においてプローブ部１５の仮想の中心軸Ｃ１が下方に向かってやや左よりに傾斜して延びている。このプローブ部１５の仮想の中心軸Ｃ１の傾斜に関して、鋭角側になる図の左側の面が子供用曲面８１、プローブ部１５の仮想の中心軸Ｃ１が傾斜して、鈍角側になる図の右側が大人用曲面８２とされている。
また、本体１２の一面である当接面１４においては、子供用曲面８１と、大人用曲面８２のなす曲面の相違や、当接面１４におけるＹ方向への高さの違いに起因して、当接面からプローブ部１５先端までの距離が異なる。すなわち、子供用曲面８１側における、当接面からプローブ部１５先端までの距離ｂよりも大人用曲面８２側における、当接面からプローブ部１５先端までの距離ａの方が大きいサイズとなっている。
【００１７】
プローブ部１５の先端の感温部１６には、図示しない温度センサが収容されている。温度センサとしては、例えば、サーミスタを利用することができる。サーミスタは温度変化に対応して、（電気）抵抗値を変化させるので、後述するように、その抵抗値変化が配線１５ａを介して基板２４に伝えられ、体温として表示手段１７に表示される。
さらに、本体１２の内部空間Ｓには、報知手段としてのブザー４２や電源となる電池２８、照明手段を構成する光源２２等が収容されている。
【００１８】
また、図３において、基板２４よりも上側、すなわち一面１３側のスペースには、主に表示手段１７を構成するための部品が収容されている。表示手段１７は、温度表示を可能にするディスプレイが用いられ、液晶の他、ＥＬ（エレクトロ・ルミネッセンス）やＬＥＤ（ライト・エミッティング・ダイオード）などによるディスプレイで構成することができるが、本実施形態では液晶が用いられている。
すなわち、表示手段１７は、液晶素子（液晶セル）２５と、そのカバー２６および、カバー２６の外側に配置され、外方に凸状の曲面外形を有するレンズ部材２７を有している。レンズ部材２７は表示手段１７側における最外層にあたり、図３に示すように外方に凸となる連続した曲面形状とされた、例えば凸レンズであり、液晶素子２５の表示を拡大し、視認角度を広くすると共に、本体１２における短手方向Ｚにおける曲率を大きくすること、すなわち、急な曲面とすることで、体温計１０がその一面１３側を下にして置かれた際に、自立しにくくしている。
【００１９】
特に、図示の場合レンズ部材２７の外面は、球面の一部とされているので、図１１および図１２の各側面図に示すように、プローブ部１５の先端は、特に短手方向Ｚの方向に傾斜し易くなる。このため、使用者が誤って、体温計１０を上から踏んだり、手をついたり、あるいは座ってしまったりした場合においても、プローブ部１５の延びる方向に沿った力を加えることがなく、必ずプローブ部１５を、さらに倒す方向に力を加えることになる。このため、プローブ部１５の先端部（感温部）１６が手や足あるいは臀部などの身体に刺さることが有効に防止される。
【００２０】
液晶素子２５は、基板２４と接続され、基板２４の端部であって表示手段１７側の一面１３側には、スイッチ１８が配置されている。スイッチ１８は、例えば、エラストマーなどでなるキートップ２９と、キートップ２９の操作により開閉される基板２４上の接点を含んでおり、例えば押しボタンスイッチとして構成されている。なお、ここではスイッチ１８は一つとされているが、選択的に操作できるよう複数のスイッチを配置してもよい。
【００２１】
さらに、本体１２の内部空間Ｓには、プローブ部１５の基端部付近に、光源２２と、光源２２からの光路を通過させ、光を外部に導く照明窓２１が形成されており、これら光源２２と照明窓２１が腋下照明手段２０を形成している。この実施形態では、必要な輝度を少ないエネルギーで得られるように、光源２２として半導体であるＬＥＤを用いている。
また、光源２２は、図３においてＹ方向となる垂直方向に平行に固定配置され、照明窓２１もＹ方向に平行である。言い換えれば、本体１２の長手方向Ｂ１にほぼ直交する方向に沿った光軸Ｌ１を案内するように形成されている。そして、照明窓２１が、プローブ１５の基端部に近接して本体１２の他面１４に開口している。
【００２２】
このため、プローブ部１５の仮想の中心軸が延びる方向Ｃ１は、その仮想の延長方向と、光源２２からの光軸Ｌ１とで、角度θをなして交差している。すなわち、照明窓２１は、プローブ部１５が角度θで傾斜している先端の感温部１６が倒れている傾斜方向と同じ側において、該プローブ１５の基端部に近接して、突出することがないように開口している。
なお、光源２２であるＬＥＤに一体に、あるいは照明窓２１の途中などに集光レンズを配置して、照明光を集束することで、限られた領域への照明光の照射光量を増大させ、測定ポイントとなる位置を選択的に明るく照明するようにしてもよい。
【００２３】
図１および図２に示すように、本体１２の外面には、温度緩衝領域７１が設けられている。温度緩衝領域７１は、本体１２の他面１４において、後述する体温測定の際に、被測定者の身体の前面に当たる領域に形成されている。この温度緩衝領域７１は、例えば、エラストマーなどの弾性体により、本体１２の上記領域に二色成形やインサート成形などの一体成形により形成されている。同様にして、符号７２に示す領域となる電池カバー９０表面にもエラストマーが配置され、各温度緩衝領域７１，７２により、当接による緩衝や滑り止め、意匠上の効果を付与するだけでなく、介助者による腋下への差し入れ量の目安としても機能することができる。
【００２４】
図４は、本体１２の内部の部品と基板２４とにより構成される体温計１０の電気的構成を示すブロック部である。
図において、制御手段３０は、例えば、ＣＰＵもしくはこれに代わる制御回路であり、基板２４に実装される半導体などに集積されるものであり、スイッチ１８のオンにより起動される温度計測（体温測定）の際に必要とされる演算および各電気的構成の制御を行う。制御手段３０には、メモリ３２が接続されている。メモリ３２はＲＯＭ，ＲＡＭその他必要とされる記憶装置を含んでおり、計測などの動作に必要とされるソフトウエアやデータを保持し、あるいは作業中に随時書き込まれる作業領域となるメモリを含んでいる。タイマ３３は、後述するように時間計測を必要とする作業に使用される計時手段である。
【００２５】
温度センサ３１は、上述したサーミスタなどで構成されるもので、温度センサ３１としてのサーミスタが出力する抵抗値の変化は、アナログ・ディジタル変換手段３４によりディジタル信号とされて、制御手段３０に入力される。制御手段３０は、この入力信号に基づいて計測温度を演算するようになっている。
制御手段３０には、表示駆動回路３５が接続されており、表示駆動回路３５は、制御手段３０が上記演算による結果を表示するために表示手段１７の液晶素子２５を駆動する。また、温度計測の際には、被測定者の腋下を照明する必要があり、そのための照明駆動回路３７が制御手段３０に接続されている。照明駆動回路３７は照明手段２０の光源２２を駆動する。さらに、制御手段３０には、報知手段としてのブザー４２を駆動するためのブザー制御回路４１が接続されている。なお、表示駆動回路３５と連動して、表示手段１７を照らすバックライトを点灯するよう構成してもよい。
また、図３の電池２８に対応した電源が、各駆動手段に接続されているが、複雑さを避けるため図４には図示を省略している。また、制御手段３０を含む各電気的構成は、所定のバスラインで接続するようにしてもよい。
【００２６】
本実施形態の体温計１０は以上のように構成されており、次に図６その他を参照しながら、使用方法を説明する。
乳幼児（子供）や患者等（大人）の被測定者Ｉは衣服Ｔを着用しており、着衣した状態である。
乳幼児（子供）の体温を測定する場合、母親や看護士等の介助者は、図３の体温計１０のスイッチ１８を操作して、体温計１０を起動すると、腋下照明手段２０が照明光を照射する。介助者は、この照明により案内されながら、被測定者Ｉの腋下に図３の体温計１０のプローブ部１５を挿入し、温度緩衝領域７１を目安としながら、他面１４が腋に当接するように配置し、感温部１６を腋下における計測位置に配置する。この時、本体１２が一方向に長い扁平な形状で、一面１３側が曲面形状とされており、温度緩衝領域７１の滑り止め効果と相まって、介助者は体温計１０を確実に保持させることができる。
図示の場合には、被測定者Ｔの測定を行う腋の下を露出させるため、一方の袖Ｋをまくり上げておいたり、ボタンを外すなどにより、衣服をめくって腋下が露出した状態にしておく。その上で、介助者は手Ｈに本体１２を把持して、体温計１０のプローブ部１５の図３における傾斜方向が上向きの傾斜となる方向に向きを合わせて、プローブ１５の先端部（感温部）１６を被測定者Ｉの露出された腋下に挿入する。
【００２７】
ここで、被測定者Ｉが夜中に身体の具合が悪くなった等により、寝室や電気が消えた病院の病室などで体温測定する場合には、衣服Ｔの袖Ｋをまくる等により、測定する腋の下を露出する作業などにおいては、着衣の袖Ｋなどに突出したプローブ部１５を引っかけないようにしなければならない。これに対して、腋下照明手段２０は、本体１２の表面から突出せずに該表面に開口した照明窓２１から光を照射するので、正しい位置に配置しやすく、かつ、袖Ｋ等によって光を遮られにくい。
【００２８】
この場合には、体温計１０を図１で示す向きにして、乳幼児に対向した位置や、抱いた状態から、図６のように被測定者である子供の腋下にプローブ部１５を挿入するようにして、測定を行う。
図７はこの測定の状態を概略的に図示した模式図である。
図において、体温計１０のプローブ部１５を腋の下に差し入れ、当接面１５（一面）の子供用曲面８１を、被測定者の腕Ｕの付け根付近Ｎに当てる。この場合、子供用曲面８１は曲率が比較的大きく、子供の比較的細い腕Ｕの付け根Ｎにフィットさせやすい。
【００２９】
プローブ部１５は、子供用曲面８１が付け根付近Ｎに当接されることで、先端１６の感温部を被測定位置である子供の腋下Ｐ１に適切に位置決めされる。
特に、図５で説明したように、子供用曲面８１側における、当接面からプローブ部１５先端までの距離ｂは、大人用曲面８２側における、当接面からプローブ部１５先端までの距離ａよりも小さいので、腋下Ｐ１から外れて、背後の方にプローブ部１５が位置することがなく、適切に腋下における体温測定を行うことができる。
【００３０】
すなわち、本体１２の子供用曲面８１はプローブ部１５の基端部で大きく湾曲しており、この箇所が被測定者の腋の下に対応した身体の前面位置に当てられると、プローブ部１５の長さは、この状態から丁度腋下Ｐ１に達するようにされているので、プローブ部１５の挿入深さを容易に決定でき、しかも、プローブ部１５自体が身体の高さ方向に沿う方向の長円または楕円状の太めな径とされて、腋下にフィットできる形態とされていることや、温度緩衝領域７１の滑り止め効果、扁平な本体の一面１３側が曲面形状とされて外方に突出しない形状とされていること等もあって、被測定者Ｉが身体を動かしても、簡単に位置ズレを生じることがなく、プローブ部１５の傾きが腋下測定領域に向かうよう構成されているため、適切な位置で計測を行うことができる。
【００３１】
一方、図８は被測定者として大人を対象した場合の体温測定の状態を概略的に図示した模式図であり、図７の乳幼児用における向きとは上下方向が反転した状態で使用される。
大人用の場合は、介助者が計測を行うこともあるが、自ら腋下の測定位置にプローブを配置することが多い。図において、体温計１０のプローブ部１５を腋の下に差し入れ、当接面１５（一面）の大人用曲面８２を、被測定者の腕Ｕの付け根付近Ｓに当てる。この場合、大人用曲面８２は曲率が比較的小さく、大人の比較的太い腕Ｕの付け根Ｓにフィットさせやすい。
【００３２】
プローブ部１５は、大人用曲面８２が付け根付近Ｓに当接されることで、先端１６の感温部を被測定位置である大人の腋下Ｐ２に適切に位置決めされる。
特に、図５で説明したように、大人用曲面８２側における、当接面からプローブ部１５先端までの距離ａは、子供用曲面８１側における、当接面からプローブ部１５先端までの距離ｂよりも大きいので、腋下Ｐ２から外れて、身体全面の位置に止まり、腋下Ｐ２に達しないことを防止することができ、適切に体温測定を行うことができる。
【００３３】
そして、上述のような介助者が測定作業をする上では、腋下照明手段２０は、図３で説明したように、プローブ部１５の延びる方向に関して、やや先の方で交差する光軸を有しているから、プローブ部１５を挿入し、感温部１６を当接すべき位置を適切に照明することができる。なお、腋下照明手段２０は所定時間後（ここでは５秒後）に消灯される。
この後、図５に示すように、介助者が本体１２を手Ｈで把持して、体温測定する際に、親指Ｆ１と図示しない中指を本体１２の側面に当て、人差し指Ｆ２を本体１２の先端（図５において本体１２の上端位置）に位置させて保持し、所定の時間だけ感温部１６を測定位置に当接させて体温を測定する。なお、スイッチ１８は人差し指Ｆ２の下に位置するよう配置されているため、操作を行いやすい。
【００３４】
測定中は、表示手段１７が外方に向いた一面１３側に配置されているため、体温の推移を視認しやすく、測定の終了はブザー４２によっても認識でき、体温が表示手段１７に表示される。この時、レンズ部材２７が外方に凸状とされた曲面形状とされているため、液晶素子２５に表示された体温表示が拡大され、より見やすくなると共に、視認できる角度が広くなるため、測定結果の確認を行いやすい。この後、スイッチ１８を操作することや所定時間が経過することで、表示手段１７の表示が消灯され、電源がＯＦＦとなる。
なお、図６のような方向で使用するだけでなく、被測定者Ｉが寝た状態や、抱いた状態で計測しても良く、被測定者Ｉ自らが使用してもよいのはもちろんである。
【００３５】
図９は体温計１０の底面図である。図１０は体温計１０の平面図である。図１１は体温計１０の右側面図である。図１２は体温計１０の左側面図である。
【００３６】
本発明は、上述の実施形態の記載に限定されない。上述の各実施形態における各構成は、必要により、その一部を省略して実施されてもよい。
例えば、本体１２について、肩部１４ａの部位を弾性体層のみとして、プローブ部１５が若干の撓みを行えて、微調整を行えるよう構成してもよい。
また、測定対象が乳幼児用と大人用ではなくとも、男性用と女性用や、ペット等の股部で計測するための動物用と人間用等を選択できるよう、身体当接面となる他面１４の曲面形状や距離を変えて構成しても良い。
【図面の簡単な説明】
【００３７】
【図１】本発明の実施形態にかかる体温計の概略斜視図。
【図２】本発明の実施形態にかかる体温計の概略斜視図。
【図３】図１の体温計の概略断面図。
【図４】本発明実施形態の体温計の電気的構成を示すブロック図。
【図５】図１の体温計の正面図。
【図６】図１の体温計の使用状態を示す図。
【図７】図１の体温計による測定の状態を概略的に図示した模式図。
【図８】図１の体温計による測定の状態を概略的に図示した模式図。
【図９】図１の体温計の平面図。
【図１０】図１の体温計の底面図。
【図１１】図１の体温計の右側面図。
【図１２】図１の体温計の左側面図。
【図１３】従来の体温計の一例を示す概略正面図。
【図１４】図１３の体温計の概略斜視図。
【符号の説明】
【００３８】
１０・・・体温計、１２・・・本体、１３・・・一面、１４・・・他面（当接面）、１５・・・プローブ部、１７・・・表示手段、２０・・・腋下照明手段、２７・・・レンズ部材、８１・・・子供用曲面、８２・・・大人用曲面
【図１】
2006214800.tif 000003
【図２】
2006214800.tif 000004
【図３】
2006214800.tif 000005
【図４】
2006214800.tif 000006
【図５】
2006214800.tif 000007
【図６】
2006214800.tif 000008
【図７】
2006214800.tif 000009
【図８】
2006214800.tif 000010
【図９】
2006214800.tif 000011
【図１０】
2006214800.tif 000012
【図１１】
2006214800.tif 000013
【図１２】
2006214800.tif 000014
【図１３】
2006214800.tif 000015
【図１４】
2006214800.tif 000016